(57)【要約】【課題】  【解決手段】  カップ（１２、１４）の側端から延び、相互固着手段を有する２本の両側の帯状物（２６）と、任意の形状及び／又は延び方の２本の肩ひも（１８）と、カップの下縁に沿って装着され、カップとカップとの間に連結ブリッジ又はジャボ部（１６）を形成する少なくとも１本の付形固定ワイヤとを含む、適当な材料、たとえば天然又は合成生地の一つ以上の層でできた、衣料品に組み込まれる下着製品、すなわちブラジャー（１０）を提供する。これらのカップ（１２、１４）それぞれは、上寄り正面区域からジャボ部（１６）まで基本的にＳ字形の輪郭を描く。【選択図】      図１
0003124311.tif 000002
【実用新案登録請求の範囲】
【請求項１】
適当な材料、たとえば天然又は合成生地の一つ以上の層でできた、衣料品に組み込まれる下着製品、より具体的にはブラジャーであって、
カップ（１２、１４）の側縁から延び、相互締結手段を有する２本の両側の帯状物（２６）と、任意の形状及び／又は延び方の２本の肩ひも（１８）と、カップの下縁に沿って組み込まれ、カップとカップとの間に連結ブリッジ又はジャボ部（１６）を形成する少なくとも１本の付形固定ワイヤとを含み、
カップ（１２、１４）それぞれが、上寄り正面領域から始まって連結ブリッジ又はジャボ部（１６）まで延びる、基本的にＳ字形の輪郭を描くことを特徴とする下着製品。
【請求項２】
カップ（１２、１４）それぞれが、その上寄り前面部分（２０）で、わずかに凹状に曲げられた形状を示す、連結ブリッジ又はジャボ部（１６）に向かって下がる部分（２２）につながる凹凸状に曲げられた形状を示す、請求項１記載の下着製品。
【請求項３】
カップ（１２、１４）が、予備成形パッド材と結合しているか、予備成形パッド材を組み込んでいる、請求項１又は２記載の下着製品。
【請求項４】
前記予備成形パッド材がシリコーン系材料又は同等な材料でできている、請求項１〜３のいずれか１項記載の下着製品。
【請求項５】
連結ブリッジ又はジャボ部（１６）が上向きの凸形に曲げられている、請求項１〜４のいずれか１項記載の下着製品。
【考案の詳細な説明】
【技術分野】
【０００１】
本考案は、下着、すなわち前記下着の一部である衣料品に関する。
【０００２】
より具体的には、本考案は、きわめて低いネックラインを採用した衣服と共に使用するのに特に適した下着、たとえばブラジャーに関する。このブラジャーは、単独で使用することもできるし、外側に着用するため等の衣料品、たとえば水着、部屋着、アンダーガウン、ボディスーツ、ドレス及びノースリーブの上着などの衣料品の一部として使用することもできる。
【背景技術】
【０００３】
いくつかのタイプのブラジャーが公知であり、主としてカップ及び肩ひもの形状及び延び方において互いに異なり、肩ひもに関しては、付いていないタイプさえある。
【０００４】
このような多様さにもかかわらず、公知のブラジャーはすべて着用者にとって一つの大きな問題を呈する。すなわち、非常に低いネックラインと共に使用することが難しい。実際、このような状況では、カップがネックラインの縁からはみ出しやすく、それによって美観的に良くない効果を生じさせてしまう。はじめのうちはブラジャーが露呈しないように適切に隠されている場合でも、特殊な腕の動きやバストの回動がブラジャーをはみ出させるおそれがあり、それが、着用者に対し、ぎこちなく不自然な振る舞いを強いることが多い。
【０００５】
そのうえ、このような公知のタイプのブラジャーでは、サポート及び／又は整形機能が、乳房の強調にとって不利である構造を示し、乳房が、強調されるどころか、かっこうよく呈示されるかもしれない部位が強制的に隠されたままになる。
【考案の開示】
【考案が解決しようとする課題】
【０００６】
本考案の目的は、上述した問題を解消することである。
【０００７】
より具体的には、本考案の目的は、下着製品、すなわち、そのような下着製品を、非常に低いネックラインを有するドレス又は類似の衣服と合わせるのに特別に適した、衣服の縁から不都合にはみ出すおそれのないブラジャーの形態で組み込んだ衣料品を提供することである。
【０００８】
それにも劣らない、本考案のさらなる目的は、乳房をサポートし、正しく整形する位置にあると同時に、乳頭を包囲する乳輪部を除き基本的には内寄り領域全体に関連して乳房の大きな部分を隠さないまま残すことによって乳房を強調する、上記のようなブラジャーを提供することである。
【０００９】
それにも劣らない目的は、優れた着用性及び安定した整形を保証するようなパッド材を組み込んだブラジャーを提供することである。
【００１０】
本考案のさらなる目的は、非常に低いネックラインを採用した衣服の縁から乳房がはみだす心配なく着用者に大きな動きの自由を許すような下着製品を提供することである。
【００１１】
本考案のさらなる目的は、着用者に対し、実用的であり、時間が経っても損耗しにくく、また、簡単かつ廉価に製造されるような下着製品を利用可能にすることである。
【課題を解決するための手段】
【００１２】
これらの目的及び他の目的は、本明細書で論じる、適当な材料、たとえば天然又は合成生地の一つ以上の層で製造された、カップの側縁から延び、相互締結手段を有する２本の両側の帯状物と、任意の形状及び／又は延び方の１対の肩ひもと、カップの下縁に沿って組み込まれ、カップとカップとの間に連結ブリッジ又はジャボ部を形成する少なくとも１本の付形固定ワイヤとを含む下着製品であって、前記カップそれぞれが、上寄り正面区域から前記連結ブッリジ又はジャボ部まで基本的にＳ字形の輪郭を描くことを主な特徴とする下着製品によって達成される。
【００１３】
本考案の下着製品の構造的及び機能的特徴は、以下の説明を、本考案の好ましい実施態様を示すが本考案をそのような実施態様に限定するものではない添付図面を参照しながら読むことにより、いっそう理解することができる。
【考案を実施するための最良の形態】
【００１４】
図面を参照すると、本明細書に記載する下着製品又はブラジャーが、モデル台に装着した例として示される図１で、符号１０で示されている。このブラジャーは、適当な材料、たとえば天然又は合成の単層又は多層生地で製造されている。符号１２及び１４でそれぞれ示す両方のカップは、有利なことには、シリコーン又は同等な材料でできた予備成形パッド材（図示せず）と、前記カップの下縁に沿って位置し、組み込まれ、間に連結ブリッジ又はジャボ部１６を形成する、そのものはすでに公知である少なくとも１本の付形固定ワイヤとを組み込んでいる。連結ブリッジ又はジャボ部１６は、一例として、ブラジャー１０を構成する材料で隠され、一例として、上向きの凸形に曲げられている。
【００１５】
図示する好ましい実施態様では、ブラジャー１０は、肩ひも１８と、着用者の背中に沿う従来の端部締結手段に通じる両側の帯状物２６とを備えている。また、前記ブラジャーは、いかなる構造及び／又は延び方を採用した肩ひもならびに前記帯状物を有してもよいということが想定されなければならない。
【００１６】
各カップ１２は、革新的に、肩ひも１８又は前記帯状物の近くの領域から連結ブリッジ又はジャボ部１６に達する上寄り前面区域に関して基本的にＳ字形の輪郭を描く。より具体的には、各カップ１２、１４の輪郭は、上寄り前面部２０で、幅広のビーム部を、連結ブリッジ又はジャボ部１６に向かって下がる部分２２につなぐ凹凸状に曲げられた形状を強調している。この部分２２は、わずかに凹状に曲げられた形状を示し、それにより、非常に低いネックラインを有する衣料品の縁まで引き下げられて、乳房の大きな部分、すなわちその内寄り領域を隠さないまま残す。この一例が、ブラジャー１０が片側だけ衣料品２４によって隠されている図２に示されている。さらには、この様式では、凹状に曲げられた特殊な形状の部分２２のおかげで、衣料品２４によって隠された部分が衣料品の縁からはみ出していないことが明確に見てとれる。
【００１７】
さらに有利なことには、２個のカップ１２、１４をつなぐ連結ブリッジ又はジャボ部１６を大きく延ばして、カップを互いに、ひいては着用者の胸骨から大きく離間させることができる。
【００１８】
上記のような特徴を有する２個のカップ１２、１４を有するブラジャー１０は、カップを隠しやすく、それでいて従来のサポート機能を果たし、しかしながら乳房の大きな区域を隠さずに残すため、非常に低いネックラインを有するドレスを装用する場合に特に適している。本考案のブラジャー１０はまた、カップ１２及び／又は１４のいかなる部分をも露呈させることなく、適度な動きの自由を着用者に許す。
【００１９】
例示及び説明のために本考案を上記のように提示したが、これは、排他的であったり、本考案を、開示したとおりの形態に限定したりすることを意図せず、上記開示を考慮すると、多くの改変が当業者には自明であろう。したがって、本考案は、本考案の本質に合致し、その請求の範囲に入るすべての改変及び変更を包含することを意図する。
【図面の簡単な説明】
【００２０】
【図１】本考案の下着製品又はブラジャーの正面図である。
【図２】非常に低いネックラインを採用した衣料品によって部分的に隠された同ブラジャーの正面図である。
【符号の説明】
【００２１】
１０  ブラジャー
１２，１４  カップ
１６  連結ブリッジ又はジャボ部
１８  肩ひも
２０  上寄り前面部
２２  部分
２４  衣料品
２６  帯状物
【図１】
0003124311.tif 000003
【図２】
0003124311.tif 000004